(57)【要約】【課題】  陰部の蒸れを防止できるとともに、使用者に不快感を与えない男性用下着の提供。【解決手段】  下着本体１と、サポート帯２とを備え、サポート帯２は、陰嚢３に前側からあてがわれるものであり、左右端部が下着本体１の前部に止着してあり、上縁部の左右寸法Ａ１が下着本体におけるサポート帯止着位置４，４の間隔Ａ２と略同じか若干小さく、下縁部の左右寸法Ｂ１が下着本体におけるサポート帯止着位置４，４の間隔Ｂ２よりも大きいことを特徴とする。【選択図】      図１
2008208477.tif 000002
【特許請求の範囲】
【請求項１】
下着本体（１）と、サポート帯（２）とを備え、サポート帯（２）は、陰嚢（３）に前側からあてがわれるものであり、左右端部が下着本体（１）の前部に止着してあり、上縁部の左右寸法（Ａ１）が下着本体におけるサポート帯止着位置（４，４）の間隔（Ａ２）と略同じか若干小さく、下縁部の左右寸法（Ｂ１）が下着本体におけるサポート帯止着位置（４，４）の間隔（Ｂ２）よりも大きいことを特徴とする男性用下着。
【請求項２】
サポート帯（２）は、上縁部が略Ｖ字形に形成してあることを特徴とする請求項１記載の男性用下着。
【請求項３】
サポート帯（２）は、左右方向の中央部において上縁から上下方向中間部にかけて三角形状に布地をつまんで止着してあることを特徴とする請求項１又は２記載の男性用下着。
【請求項４】
下着本体（１）は、前部のサポート帯（２）よりも上の位置に横方向にスリット（５）が形成してあり、スリット（５）より下の部分が前方に膨らんでいることを特徴とする請求項１，２又は３記載の男性用下着。
【発明の詳細な説明】
【技術分野】
【０００１】
本発明は、男性用下着に関する。
【背景技術】
【０００２】
従来の男性用下着においては、発汗や尿漏れによる陰部周辺の蒸れを解消することを目的として、パンツの前布の内側に陰茎を差し入れるポケットを縫い付けたものがあった（例えば特許文献１，２参照。）。しかし、そのようなパンツでは陰茎や陰嚢がパンツ前布により押さえられて窮屈な感じがし、尚且つ陰茎がポケット内に保持されていることで不快感を覚える。
また特許文献３には、パンツの前布の内側に、陰嚢を上方へ吊上げ保持するブリッジバンドを縫い付けたものが記載されている。このパンツは、パンツの前布とブリッジバンドとの間に陰嚢が位置するように着用するが、陰嚢が下側ないし裏側からブリッジバンドにより常時圧迫されるため、かえって不快である。
【特許文献１】特許第２６４５８０８号公報
【特許文献２】特開平８−７４１０１号公報
【特許文献３】登録実用新案第３０３４０１３号公報
【発明の開示】
【発明が解決しようとする課題】
【０００３】
本発明は以上に述べた実情に鑑み、陰部周辺の蒸れを防止できるとともに、使用者に不快感を与えない男性用下着の提供を目的とする。
【課題を解決するための手段】
【０００４】
上記の課題を達成するために、請求項１記載の発明による男性用下着は、下着本体と、サポート帯とを備え、サポート帯は、陰嚢に前側からあてがわれるものであり、左右端部が下着本体の前部に止着してあり、上縁部の左右寸法が下着本体におけるサポート帯止着位置の間隔と略同じか若干小さく、下縁部の左右寸法が下着本体におけるサポート帯止着位置の間隔よりも大きいことを特徴とする。
【０００５】
請求項２記載の発明による男性用下着は、請求項１記載の発明の構成に加え、サポート帯は、上縁部が略Ｖ字形に形成してあることを特徴とする。
【０００６】
請求項３記載の発明による男性用下着は、請求項１又は２記載の発明の構成に加え、サポート帯は、左右方向の中央部において上縁から上下方向中間部にかけて三角形状に布地をつまんで止着してあることを特徴とする。
【０００７】
請求項４記載の発明による男性用下着は、請求項１〜３記載の発明の構成に加え、下着本体は、前部のサポート帯よりも上の位置に横方向にスリットが形成してあり、スリットより下の部分が前方に膨らんでいることを特徴とする。
【発明の効果】
【０００８】
請求項１記載の発明による男性用下着は、サポート帯が陰嚢を身体側に引き寄せた状態に保持するため、陰茎と陰嚢の密着を防ぎ、発汗や尿漏れによる陰部周辺の蒸れを防止できる。しかもサポート帯は、上縁部の左右寸法が下着本体におけるサポート帯止着位置の間隔と略同じか若干小さく、サポート帯下縁部の左右寸法が下着本体におけるサポート帯止着位置の間隔よりも大きくしてあることにより、使用者に不快感を与えることなく陰嚢を保持できる。
【０００９】
さらに、請求項２記載の発明による男性用下着は、サポート帯の上縁部が略Ｖ字形に形成してあることにより、陰茎の付け根部分の下側にサポート帯が触れることがなく、且つサポート帯の陰嚢との接触面積が小さくなるので蒸れを防止する効果が向上する。
【００１０】
さらに、請求項３記載の発明による男性用下着は、サポート帯が左右方向の中央部において上縁から上下方向中間部にかけて三角形状に布地をつまんで止着してあることにより、サポート帯が縦方向の断面において睾丸の膨らみに沿うように曲がり、フィット感を向上できる。
【００１１】
さらに、請求項４記載の発明による男性用下着は、下着本体は、前部のサポート帯よりも上の位置に横方向にスリットが形成してあり、スリットより下の部分が前方に膨らんでいることで、陰茎が圧迫されるのを防止できるとともに、スリット下側の膨らんだ部分の内側に吸水性パッドを配設することもでき、しかもスリットから陰茎を出して用を足したり、スリットから手を入れて吸水性パッドを交換したりすることも容易である。
【発明を実施するための最良の形態】
【００１２】
以下、本発明の実施の形態を図面に基づいて説明する。図２は本発明の男性用下着の一実施形態を示す平面図であり、図３は同下着の正面図であり、図４は同下着の側面図であり、図５は同下着の着用状態における縦断面図であり、図１は同下着を生地の表裏が逆になるように裏返しにした状態の正面図である。
この男性用下着は、図２〜図４に示すように、さるまた状に形成された下着本体１と、下着本体１内部の前側下部に縫い付けたサポート帯２とを備えている。
【００１３】
下着本体１は、ガードルのように全体が伸縮性を有する布地を用いて縫製され、胴回りを包む部分と、左右の足を通す筒状部とを有しており、胴回りと太ももを引き締める機能を有するものとなっている。下着本体１の前布６は、陰部７の前側にあたる略逆三角形の部分をいったん切除した上で、その部分に別の布地で形成された前方に膨らむ膨出部８を縫い付けてある。前布６の下縁部と膨出部８の上縁部との間には横方向のスリット５が形成されており、且つ前布６の下縁部が膨出部８の上縁部の前側に重なり、スリット５から肌が露出しないようになっている。サポート帯２は、膨出部８の内側下部に位置している。
【００１４】
サポート帯２は、伸縮性を有する生地を用いて横長の帯状に形成してあり、図６（ａ）に示すように、上縁部がＶ字形に形成してある。さらにサポート帯２は、図６（ｂ）に示すように、左右方向の中央部において上縁から上下方向中間部にかけて三角形状に布地をつまんでミシンで縫い、三角形の重合部９を形成してある。これによりサポート帯２は、図６（ｂ）に示すように、縦方向の断面において前側に膨らむように湾曲している。そしてサポート帯２は、図１に示すように、下着本体１を裏返しにした状態で、膨出部８下部の両側縁部に沿った逆ハの字形のサポート帯止着位置４，４に、左右端部をミシンで縫い付けている。サポート帯２は、上縁部の左右寸法Ａ１がサポート帯止着位置４，４の上端部の間隔Ａ２と略同じか若干小さくなっており、下縁部の左右寸法Ｂ１がサポート帯止着位置４，４の下端部の間隔Ｂ２よりも大きくなっている。そのため下着本体１に縫い付けられたサポート帯２は、上縁部側はピンと張った状態になり、下縁部側はだぶついた状態になる。なおサポート帯２は、左右方向の中央部において下縁側から布地を三角形につまんでもよいが、上述のように上縁側から三角形に布地をつまむことで、サポート帯２が陰嚢３を下の方に向けて押さえる感じになる。
【００１５】
本下着を着用すると、図５と図７に示すように、サポート帯２が陰嚢３に前側からあてがわれ、陰嚢３がサポート帯２により身体側に引き寄せられる。これにより陰茎１０と陰嚢３の密着を防ぎ、発汗や尿漏れによる陰部７周辺の蒸れを防止できる。しかもサポート帯２は、上縁部の左右寸法Ａ１がサポート帯止着位置４，４の上端部の間隔Ａ２と略同じか若干小さくなっており、下縁部の左右寸法Ｂ１がサポート帯止着位置４，４の下端部の間隔Ｂ２よりも大きくなっているため、使用者に陰嚢３が圧迫されるような不快感を与えることなく、陰嚢３を自然に身体側に引き寄せて保持できる。またサポート帯２は、左右方向の中央部に三角形の重合部９を形成してあることで、睾丸の膨らみに沿うように縦方向の断面において湾曲しているので、陰嚢３とのフィット感が良好で不快な押し付け感がない。さらにサポート帯２は、上縁部がＶ字形に形成してあることで、陰茎１０の付け根部分の下側にサポート帯２が触れることがなく、且つサポート帯２の陰嚢３との接触面積が小さくなるので蒸れを防止する効果が向上している。
さらに本下着は、陰部７の前側にあたる部分に前方に膨らむ膨出部８を設けたので、陰茎１０が圧迫されることがなく、図５に示すように、膨出部８内に吸水性パッド１１をセットして尿を吸収することもできる。さらに、横方向にスリット５が形成してあることで、スリット５から陰茎１０を出して用を足したり、介護者がスリット５から手を差し入れて吸水性パッド１１を交換したりするのが容易である。
【００１６】
本発明は以上に述べた実施形態に限定されない。下着本体１は、ブリーフ形、トランクス形など、いかなる形態のものでもよい。本発明の男性用下着は、例えば寝たきりの人が薄いメリヤス編みの肌着を着けた上から重ねて着用することもできる。膨出部８は、省くこともできる。本発明の男性用下着は、寝たきりの人の他、スポーツやダンスをするときに着用するものとしても好適である。
【図面の簡単な説明】
【００１７】
【図１】本発明の一実施形態に係る男性用下着の裏返しにした状態での正面図である。
【図２】同下着の平面図である。
【図３】同下着の正面図である。
【図４】同下着の側面図である。
【図５】同下着の着用状態における縦断面図である。
【図６】（ａ）はサポート帯の下着本体に縫い付ける前の状態の裏面図であり、（ｂ）は（ａ）のＡ−Ａ断面図である。
【図７】着用状態におけるサポート帯の斜視図である。
【符号の説明】
【００１８】
１  下着本体
２  サポート帯
３  陰嚢
４  サポート帯止着位置
５  スリット
６  前布
７  陰部
８  膨出部
９  重合部
１０  陰茎
１１  吸水性パッド
Ａ１  サポート帯上縁部の左右寸法
Ａ２  サポート帯止着位置の間隔（上端部側）
Ｂ１  サポート帯下縁部の左右寸法
Ｂ２  サポート帯止着位置の間隔（下端部側）
【図１】
2008208477.tif 000003
【図２】
2008208477.tif 000004
【図３】
2008208477.tif 000005
【図４】
2008208477.tif 000006
【図５】
2008208477.tif 000007
【図６】
2008208477.tif 000008
【図７】
2008208477.tif 000009